(57)【要約】      （修正有）【課題】長尺な直付形蛍光灯器具において直線状に突合せ連結取付けする時に、器具相互の調整作業をすることなく直線性が容易に得られ、電気的接続も容易に可能であり、かつ施工性を向上させる。【解決手段】器具１を連結取付け時、先に取付ける器具１のノック穴２２及び略Ｕ字形側板の内板２３と外板２１とに内接させて連結金具４をあらかじめ取付けてから器具１を固定し、後から連結する器具１の側板ノック穴部を連結金具４に沿わせて取付けるだけで調整作業をすることなく容易に連結器具相互間の仕上がりの直線性が得られ、施工性が向上し電気的な接続も得られる構成とする。また、連結金具４の形状として、上記の突合せ連結時の器具１相互間の直線性が得られ、施工性の向上が図れるとともに、連結器具相互間の本体１の電気的接続が容易に得られる連結金具構造とする。【選択図】図１
2005243599.tif 000002
【特許請求の範囲】
【請求項１】
器具本体を備え、器具の長手方向を塞ぎ送り配線用のノック穴を有する側板を備え、側板は略Ｕ字形で器具内側を塞ぐ内板と外郭を構成する外板を備え、器具の突合せ連結使用時に前記ノック穴及び略Ｕ字形側板の内板と外板とに内接するように構成した連結金具を備え、器具を突合せ連結取付け時に先に取付ける器具のノック穴及び略Ｕ字形側板の内板と外板とに内接させて連結金具を取付けてから器具を固定し、前記連結金具に後から連結する器具の側板ノック穴を合せて取付けるだけで容易に直線性が得られるようにして仕上がり外観の向上と施工性の向上が図れることを特徴とする長尺な天井直付形の蛍光灯器具の連結構造。
【発明の詳細な説明】
【技術分野】
【０００１】  本発明は長尺な蛍光灯器具を直線状に突合せ連結接続して取り付ける時の、器具相互間の直線性が容易に得られかつ施工性が容易な連結構成に関するものである。
また、当該連結金具により突合せ連結する器具の相互の電気的接続が容易に得られる連結金具の構成に関するものである。
【背景技術】
【０００２】  図５は従来より用いられている一般的な連結金具の構成である。先に取付ける器具側１にあらかじめ連結金具９をねじ９１、ナット９２を用いて固定してから器具を取り付け、後から連結する側器具５の連結部のノック穴を開けて連結金具に挿入してから器具を取り付ける構成で、多灯数取付ける場合にはねじ止め固定の工数が大きな負担となり非常に施工性の悪いものであった。【０００３】  また、図６のように、一般的には連結金具を使用しないで取付けることも多く、この場合天井から降ろされた取付ボルト７の径と取付ボルト径よりも大きな器具の取り付け穴１１との間のギャップがあるため器具の幅方向のズレが生じ、直線性を出す為には仮止め取り付け後に直線性を出す為の調整をしてから本締めを行わなければならないなど施工性への配慮が不足していた。
【発明の開示】
【発明が解決しようとする課題】
【０００４】  本発明の目的は、長尺な直付形蛍光灯器具において直線状に突合せ連結取付けする時に、器具相互の調整作業をすることなく直線性が容易に得られ、電気的接続も容易に可能であり、かつ施工性を向上させることにある。
【課題を解決するための手段】
【０００５】  本発明においては、器具の長手方向を塞ぎ送り配線用のノック穴を有する側板の略Ｕ字形の器具内側を塞ぐ内板と外郭を構成する外板を備え、器具の突合せ連結使用時に前記ノック穴及び略Ｕ字形側板の内板と外板とに内接するように構成した連結金具を備え、器具を連結取付け時、先に取付ける器具のノック穴及び略Ｕ字形側板の内板と外板とに内接させて連結金具をあらかじめ取付けてから器具を固定し、後から連結する器具の側板ノック穴部を連結金具に沿わせて取付けるだけで調整作業をすることなく容易に連結器具相互間の仕上がりの直線性が得られ、施工性が向上し電気的な接続も得られる構成とした。
連結金具の形状として、上記の突合せ連結時の器具相互間の直線性が得られ、施工性の向上が図れるとともに、連結器具相互間の本体の電気的接続が容易に得られる連結金具構造とすることも可能である。
【発明の効果】
【０００６】  本発明は、突合せ連結器具相互間において、向き合う器具の側板ノック穴部に連結金具を勘合係止させ、連結側器具ノック穴を挿入するだけで調整作業をすることなく容易に直線性が得られるようにして仕上がり外観の向上が得られ、施工性の向上が図れ、経済的な蛍光灯器具を提供できる。また、電気的な接続も得られ保護接地による安全性の向上が図れ、電子安定器式器具の場合ノイズや雑音端子電圧の低減効果も得られる、
【発明を実施するための最良の形態】
【０００７】  本発明の実施形態を図１から図４を用いて説明する。図１に示すように、器具本体１の長手両端部を閉塞する側板２は外板２１，内板２３を有する略Ｕ字形の部材であり、外板２１にはＵ字形ノック穴２２、内板２３には送り配線用穴２４を有する構成である。【０００８】  本発明の連結金具４は図３に示すように、側板２のＵ字ノック穴２２に挿入可能な幅寸法の平坦部と１対の折り曲げ片４１を有した略コ字形であり、折り曲げ変４１の内側に送り配線用ケーブル８が通せる寸法構成とし、該折り曲げ変４１には器具本体側板２の外板２１のＵ字形ノック穴に装着され、外板２１と内板２２に内接する寸法の複数対の山形切欠き４２を設け、装着時のガイド部４３を有し、後から連結する器具５の側板２の外板２１のノック穴２２をガイドするテーパー部４５を有し、ガイド４５に沿って装着していった時最終的に勘合係り止め位置で連結相互器具のすき間が空かないよう保持する位置決めスリット４４を有している。【０００９】  突合せ連結施工をする場合、まずはじめに器具本体１の側板２の外板２１のＵ字形ノック穴２２を明け、連結金具４の１対の折り曲げ片４１をＵ字形ノック穴２２に沿わせるようにして側板の外板２１と内板２３の間に装着すると、複数対の山形切欠き４２が塗装面を削るようにして装着されねじ止め等をすることなく勘合係止されると伴に電気的な接続が得られる。連結金具４を取付けた器具本体１を天井面に固定し、次に連結する側の器具本体５の側板２のＵ字形ノック穴２２を明け、連結金具４のガイドテーパー部４５に沿わせて勘合して行くと、折り曲げ片４１の位置決めスリット４４に装着され連結相互器具のすき間が空かないよう保持される。【００１０】  この状態で連結側の器具本体５を固定する。連結器具相互の長手方向の位置決めはスリット４４で確実に決められ、器具幅方向のズレは側板の中央部に設けられたＵ字形穴に内接する連結金具の１対の折り曲げ片により矯正されて連結部幅方向の直線性が容易に得られ、仕上がり外観の向上と施工性の向上から経済的な蛍光灯器具を提供することができる。また、複数対の山形切欠き４２が塗装面を削るようにして装着され連結相互の器具に装着される為容易に連結相互間の電気的接続が得られ、保護接地による安全性の向上が図れ、また、電子安定器式器具の場合ノイズや雑音端子電圧の低減効果も得られる。
【図面の簡単な説明】
【００１１】
【図１】本発明の連結部構成を示す部分外観図である。
【図２】本発明の連結部構成を示す部分断面図である。
【図３】その連結金具の外観図である。
【図４】その器具連結時の取り付け状態を示す平面図である。
【図５】従来の器具連結構成を示す外観図である。
【図６】別の従来の器具の取り付け穴・取付け孔を示す要部断面図である。
【符号の説明】
【００１２】１：器具本体
２：側板
４：連結金具
４１：折り曲げ片
４２：山形切欠き
４５：ガイド用テーパー部
５：連結側器具本体
【図１】
2005243599.tif 000003
【図２】
2005243599.tif 000004
【図３】
2005243599.tif 000005
【図４】
2005243599.tif 000006
【図５】
2005243599.tif 000007
【図６】
2005243599.tif 000008